Podtech/llm-jp-corpus-v4-ja_patent huggingface dataset:
(57)【要約】      （修正有）【課題】  押し花やドライフラワー、更には生花を合成樹脂で埋封する技術はあるが、平面的であったり、花の色彩が枯れた感じで自然感がないことから、全く自然感に欠けていた。本発明の目的は色彩および立体感を有しており、自然の花に劣らない花を埋封することを長期間にわたり提供することにある。【解決手段】  本発明の目的は、透明合成樹脂の中にプリザーブドフラワーを埋封してできる装飾品によって達成される。【選択図】なし【特許請求の範囲】
【請求項１】
透明合成樹脂の中に、プリザーブドフラワーを埋封したことを特徴とする装飾品。
【発明の詳細な説明】
【技術分野】
【０００１】
本発明は装飾品に関するものである。
【背景技術】
【０００２】
従来から、特に女性は宝石や貴金属に代表される各種装飾品をつけて身の回りを飾ってきた。最近になってその傾向はますます強くなり、より多くの装飾品を身につける傾向にある。また、男性においても同様な傾向がみられるようになってきている。
【０００３】
一方、世は自然を見直す傾向が強まり、その傾向は装飾品にも現れてきている。即ち単なる宝石や貴金属だけではなく、自然の植物や動物の一部を使用することが行われるようになってきた。これらに関して、押し花を透明な合成樹脂で埋封してブローチなどの装飾品にする提案がある(特許文献1、2)。これらはいずれも自然の花を押し花とし、できた装飾品は、製作当初から自然の色を再現されていないことが難点であったが、更に時がたつに従い、その色合いはますます衰えていくことが大きな欠点であった。その他にドライフラワーや生花そのものを埋封することが提案されている（非特許文献１）。前者は製作時から色合いが悪く、装飾品として優れたものを製作することができない。また後者は製作時には色合いが良いものの、時がたつにつれて急激に色彩が劣化することが致命的とも言える欠点である。その結果、いずれの方法によっても製作当時は美しい仕上がりであった場合でも、時が経つに従い実用的な装飾品とはなりえなかった。
【０００４】
【特許文献１】特開平8-268800号
【特許文献２】特開平8-268801号
【非特許文献１】登録実用新案第3076934号
【発明の開示】
【発明が解決しようとする課題】
【０００５】
従来の技術では製作当初においても自然の色合いを再現することはできなかったのみならず、時が経つに従って変色が大きく、装飾品としては実用的ではなかった。本発明では製作当初はもとより、その後長期間経過しても製作時の色彩を保った装飾品として十分耐えうる装飾品を提案する。
【課題を解決するための手段】
【０００６】
本発明の目的は合成樹脂の中にプリザーブドフラワーを埋封してできる装飾品によって達成される。
【発明の効果】
【０００７】
本発明になる装飾品は、自然の花がそのまま樹脂に埋封されていると同様に、長期間にわたって製作時の色彩を保持可能な装飾品を得ることが可能となる。
【発明を実施するための最良の形態】
【０００８】
本発明に使用されるプリザーブドフラワーは自然の生花である花を樹脂液に浸して花の形を整え、好みの色に着色・乾燥加工した花である。なかでも生花を一旦脱色した後に樹脂液に浸して花の形を整え、好みの色に着色・乾燥加工した花が最も好ましい。本発明のプリザーブドフラワーは加工前の花と同様に立体的な形を維持しており、形および色を始め生花と同様以上のものである。通常の状態、即ち自然の環境の状態においても長期間しぼんだり、色褪せたりしないように加工した花を言う。従って、一般に行われているいわゆる押し花やドライフラワーとは形・色をはじめとして比較にならないほど自然に近い立派な花となるのである。
【０００９】
本発明はプリザーブドフラワーを合成樹脂で埋封することによって花の寿命を更に長くすることと自然豊かな装飾品を提供することを可能としたものである。
本発明で言う埋封とは花の花びらの間に樹脂を流し込んで空隙をほとんどなくする程度のものや花の周りに空隙を設けて埋封するものなどを含む。
【００１０】
本発明の技術を応用した製品としては、ブローチ、イヤリング、ブレスレットなど身の回りの装飾品は勿論、食器、花器、置物、調理用品など広く適用することができる。
この発明の装飾品は、たとえば次のように作製することができる。もちろん、次の方法に限定されるものではない。
【実施例１】
【００１１】
型枠の中にプリザーブドフラワーを入れ、紫外線吸収剤の入った透明ポリエステル樹脂溶液に室温２４度で硬化剤０．８％を加えて十分にかくはんして流し込み硬化させるか、又は、あらかじめ型枠に紫外線吸収剤の入った透明ポリエステル樹脂溶液を入れるか、着色したポリエステル樹脂溶液を入れて半硬化した時点でプリザーブドフラワーをその上に置き密着させる。そしてその上から紫外線吸収剤の入った透明ポリエステル溶液を流し込んで、気泡を十分に取り除き保温硬化させる。そうして出来上がった透明樹脂溶液を用途に応じて色々な形に加工して研磨して艶を出し、仕上げる。
得られた装飾品は2年後においても色の変化はほとんど認められなかった。
【産業上の利用可能性】
【００１２】
身に付ける装飾品を中心に食器、花器、置物、調理用品など広く適用することができる。
(57)【要約】【課題】接着テープあるいは粘着テープの接着には両手を使う必要があり、被接着物を手で支えて安定させることが困難であった。本発明の課題は、被接着物を手で支えながら、もう片方の手で容易に接着できる方法を提供することにある。【解決手段】接着面あるいは粘着面が外側にくるように巻かれた逆巻きテープと、逆巻きテープ専用カッター付きホルダーを提供することによって、片手での接着を可能し、かつ、被接着物をもう片方の手で安定させることを可能とする。【選択図】図１
2006306984.tif 000002
【特許請求の範囲】
【請求項１】
従来の巻きテープと異なり、接着面あるいは粘着面が外側になるように巻いた逆巻きテープ
【請求項２】
請求項１記載の逆巻きテープ専用カッター付きテープホルダー
【発明の詳細な説明】
【技術分野】
【０００１】
本発明は、荷造り用テープや一般家庭用セロハンテープ等を用いての接着作業を容易に行えるようにするものである。
【背景技術】
【０００２】
従来の接着用巻きテープは、接着面あるいは粘着面が内側にくるように巻かれており、接着作業を行う際には、まず、テープの一端を手で引き伸ばし、接着面に接着した後、片方の手で接着面にテープを押し付けながら、もう片方の手でテープホルダーを引っ張ってテープを引き出す方法をとるか、あるいは、あらかじめ接着に必要な長さの分だけテープを切り取った後、両手を用いてテープを接着する方法を用いなければならず、両手による作業が必要であった。
【発明の開示】
【発明が解決しようとする課題】
【０００３】
従来の技術によれば、巻きテープによる接着作業を行うには、両手による作業が必要であり、被接着物を手で支えて安定させることが難しかった。そこで、本発明は、被接着物を手で支えながら、もう片方の手で容易に接着できる方法を提供することを課題とする。
【課題を解決するための手段】
【０００４】
以上の課題を解決するために、第一発明は、接着面あるいは粘着面が外側になるように巻かれた逆巻きテープである。
また、第二発明は、前述の逆巻きテープを用いて、テープを接着面に押し付けながら容易に接着でき、かつ切断できる逆巻きテープ専用カッター付きテープホルダーである。
【発明の効果】
【０００５】
第一発明、第二発明によって、被接着物を片方の手で安定させながらテープを迅速かつ容易に接着できる。
【発明を実施するための最良の形態】
【０００６】
第一発明の、接着面あるいは粘着面が外側になるように巻かれた逆巻きテープ１は、巻き芯２の表面に接着剤を塗布するか、あるいはテープの端において所定の長さ部分の内側に接着剤を塗布する等の方法によって製造できる。前述の第一発明の逆巻きテープ１を用いた、第二発明の一実施例を、図１に示す。
【０００７】
逆巻きテープ専用カッター付きテープホルダーの本体３は、プラスチック製であり、第一発明の逆巻きテープ１の脱着ができるよう図２に示すように、二つの部分に分離できるようになっている。この本体３には、押さえ部４に沿ってテープ切断刃５の部分まで引き出された逆巻きテープ１を導く開口部６が設けられている。切断刃５は、図３に示すようにホルダーの角度を変えることでテープが切断でき、かつ切断後のテープが巻き戻らないような角度で設けられている。
【図面の簡単な説明】
【０００８】
【図１】本発明の一実施例を示した説明図である。
【図２】第二発明の逆巻きテープ専用カッター付きテープホルダーが、逆巻きテープの脱着ができるよう二つの部分に分離できることを示した説明図である。
【図３】第二発明の逆巻きテープ専用カッター付きテープホルダーの角度を変えることによって、テープを切断する方法を示した説明図である。
【図４】逆巻きテープの説明図である。
【符号の説明】
【０００９】
１  逆巻きテープ
２  テープの芯
３  逆巻きテープ専用カッター付きホルダー本体
４  押さえ部
５  切断刃
６  開口部
７  嵌め込み用凸部
８  嵌め込み用凹部
【図１】
2006306984.tif 000003
【図２】
2006306984.tif 000004
【図３】
2006306984.tif 000005
【図４】
2006306984.tif 000006
(57)【要約】【課題】  パックの内容物の抽出が適量に手加減で出せ、且つそれが抽出後に外に漏れ出すことのない様な構造のものの要望。【解決手段】  液状／粘状調味品１が軟性樹脂フィルム製の三角錐容器本体２にしゅうのうされ、抽出量制御用の注ぎ口３がその三角錐容器本体２の広幅のシール部２ａのシール内面に設けられている。この注ぎ口３は、その三角錐容器本体２の頂上２ｂ付近の内部からその広幅のシール部２ａの解放端方向に伸長して、且つその先端が閉鎖されている。【選択図】  図２
2006306406.tif 000002
【特許請求の範囲】
【請求項１】
液状／粘状調味品、該液状／粘状調味品を封入の軟性樹脂フィルム製三角錐容器本体、該軟性樹脂フィルム製三角錐容器本体の広幅のシール部のシール面に設けられたものであってその三角錐容器本体の頂上付近の内部からその広幅のシール部の解放端方向に伸長し且つその先端が閉鎖されている抽出量制御用の注ぎ口、より構成されることを特徴とした液状／粘状調味品入り三角錐パック。
【発明の詳細な説明】
【技術分野】
【０００１】
本発明は、広くは調味品入りの容器に関するものであり、特に弁当などの携帯食品に付随するソースなどの調味品に関するものである。就中、多少量のあるサラダのドレッシングなどの液状とかマヨネーズ等の粘状の調味品が入った三角錐パックに関するものである。
【背景技術】
【０００２】
牛乳入りなどの三角錐紙パックは知られている。また、駅弁などに使用されているビニールなどの平袋に入ったソースやマヨネーズなども広く知られており、それらの文献を上げるまでもない。
【発明の開示】
【発明が解決しようとする課題】
【０００３】
しかして、牛乳入りなどの三角錐紙パックはその内容物を抽出するのに、ストローが必要となり、さらにはそのパックを手頃に押して必要な量を取り出すというような操作は紙の容器なので大変に難しい。また、図１のビニールなどの平袋入りのソースやマヨネーズなどはその袋を破ってその調味品を出したときに、その抽出が中途半端であると図１に示すようにその内容物Ｃがその袋Ｐから記号Ｃ１で示すように漏出してしまい、その処理に困る。さらには、そのパックに注ぎ口がないと、そのパックを破ったときにその切り裂き口のサイズが均一とならない故に、その内容物の注出加減が制御しにくくて大変に不便である。
【０００４】
そこで、本願が解決しようとする問題点は、そのパックを開けてその内容物を抽出するときに、まずその抽出量をそのパックを押す力の手加減で容易に調整できることと、そのパックの抽出口を開いた後にその内容物、特にサラダのドレッシングなどのある程度の量があり、その抽出が適量且つ盛んに行われるものが、外に漏れ出すことのない様な構造にすることである。
【課題を解決するための手段】
【０００５】
本発明の液状／粘状調味品入り三角錐パックは、以上の課題を解決するために、その容器の材質を手加減よく押すことが可能な軟性樹脂フィルム製とした。そして、その形状を三角錐の容器として、その容器が立った状態で置くことが出来るようにした。それゆえに、その容器の注ぎ口をあけた場合に、そこからその内容物が漏出することのないようにした。
【０００６】
以下に、本発明にかかる液状／粘状調味品入り三角錐パックの具体的な構成を詳細に記載する。この発明は、まず液状／粘状調味品がある。つぎに、軟性樹脂フィルム製三角錐容器本体がある。この軟性樹脂フィルム製三角錐容器本体は、上記の液状／粘状調味品を封入するものである。そして、抽出量制御用の注ぎ口がある。この注ぎ口は、上記の軟性樹脂フィルム製三角錐容器本体の広幅のシール部のシール面に設けられたものである。さらに、この注ぎ口は、その三角錐容器本体の頂上付近の内部からその広幅のシール部の解放端方向に伸長しており、且つその先端が閉鎖されているものである。
【発明の効果】
【０００７】
本発明にかかる液状／粘状調味品入り三角錐パックは、以上のごとくになしたゆえに、上記の課題を解決して以下のごとき多大な効果が生じた。すなわち、その容器を手加減よく押すことが可能で抽出量の制御が容易なものとした。そして、その容器の注ぎ口をあけた場合にそこからその内容物が漏出することのないようにした。さらに、その容器の注ぎ口のサイズ（口径）を適宜に設計できる故に、その内容物の抽出量の制御が容易になる。その上に、サラダの場合にはそのドレッシングを何回か掛けながら食べるし、食パンの場合もジャムをパンに付けながら食べる。したがって、従来はこのような使用の仕方が不便な調味品に対しても、大きな効果を発揮した。
【発明を実施するための最良の形態】
【０００８】
その内容物を手加減よく抽出することが可能で、その容器の注ぎ口をあけた場合にそこからその内容物が漏出することのないようにすると言う目的を達成させる構成、すなわち広幅のシール部のシール面に注ぎ口が設けられた軟性樹脂フィルム製の三角錐容器にした。
【実施例１】
【０００９】
しかして、本発明にかかる液状／粘状調味品入り三角錐パックをその具体的な実施例を用いて添付の図面と共に詳細に述べる。この発明は、まずサラダのドレッシング等の適量の量の液状／粘状調味品１がある。つぎに、透明なビニールなどの軟性樹脂フィルム製の三角錐容器本体２がある。この軟性樹脂フィルム製三角錐容器本体２は、上記の液状／粘状調味品１を封入するものである。そして、抽出量制御用の注ぎ口３がある。この注ぎ口３は、上記の軟性樹脂フィルム製三角錐容器本体２の広幅のシール部２ａのシール内面に設けられたものである（狭い幅のシール部２ｃと対比）。さらに、この注ぎ口３は、その三角錐容器本体２の頂上２ｂ付近の内部からその広幅のシール部２ａの解放端方向に伸長しており、且つその先端が閉鎖されているものである。この注ぎ口３のサイズをその内容物の性質特に粘性度を考慮して決めることが可能なので、その抽出加減の制御が容易になる。
【産業上の利用可能性】
【００１０】
幕の内弁当に添付の醤油やソースなどの少量使用の分野以外に、サラダのドレッシングとかジャムやマヨネーズ等の適度な量を数回に分けて使用することを必要とする調味品の分野にも利用可能となる。
【図面の簡単な説明】
【００１１】
【図１】従来の平袋の実施例の開封時の内容物が漏出している状態の平面図である。
【図２】本発明にかかる液状／粘状調味品入り三角錐パックの一実施例の正面図を示したものである。
【図３】図１のものの平面図を示したものである。
【符号の説明】
【００１２】
１  液状／粘状調味品
２  三角錐容器本体
2a  シール部
2b  頂上
３  注ぎ口
【図１】
2006306406.tif 000003
【図２】
2006306406.tif 000004
【図３】
2006306406.tif 000005
(57)【要約】【課題】  包装コストを極力下げ、能率的に製作できると共に、包装状態を損なわないで体裁感の優れた新しい構成のネット付容袋の提供。【解決手段】  透明ないし不透明の所望形状の合成樹脂シート１の外周縁に沿って一部を残して合成樹脂製の塗布接着層３を設けると共に、前記合成樹脂シート１の大きさと同大の合成樹脂製ネット２を当接し、このネットの外周縁の塗布接着層３に沿って加熱押着して一部を開口部４とした包装部を得て成ることを特徴とするネット付容袋。【選択図】        図１
2006306410.tif 000002
【特許請求の範囲】
【請求項１】
透明ないし不透明の所望形状の合成樹脂シートの外周縁に沿って一部を残して合成樹脂製の塗布接着層を設けると共に、前記合成樹脂シートの大きさと同大の合成樹脂製ネットを当接し、このネットの外周縁の塗布接着層に沿って加熱押着して一部を開口部とした包装部を得て成ることを特徴とするネット付容袋。
【請求項２】
合成樹脂シートは、ポリプロピレンを素材とし、塗布接着層および合成樹脂製ネットは、ポリエチレンで構成して成ることを特徴とする請求項１記載のネット付容袋。
【発明の詳細な説明】
【技術分野】
【０００１】
本発明は、各種野菜，果実などの包装に適するネット付容袋に関する。
【背景技術】
【０００２】
この種の容袋は、通気性のネットを用いたものとして数多くのものが知られている（例えば、特許文献１参照。）。
【０００３】
また、内容物が透視でき、かつ通気性があり、多数の内容物を入れることができる包装用袋が知られている（例えば、特許文献２参照。）。
【特許文献１】特開平７−３１５３９１号公報
【特許文献２】実開平７−９７７１号公報
【発明の開示】
【発明が解決しようとする課題】
【０００４】
特許文献１および特許文献２は、いずれもネット構造の網構造を備えて、外気との通気性を有し、内容物を視認できるという機能を有するが、加工製作に関する配慮がなされていないという課題がある。
【０００５】
包装コストを極力下げ、能率的に製作できると共に、包装状態を損なわないで体裁感の優れた新しい構成のネット付容袋を得ることを目的とする。
【課題を解決するための手段】
【０００６】
本発明は、上記の目的を達成するために成されたもので、以下の構成によって達成される。
【０００７】
（１）透明ないし不透明の所望形状の合成樹脂シートの外周縁に沿って一部を残して合成樹脂製の塗布接着層を設けると共に、前記合成樹脂シートの大きさと同大の合成樹脂製ネットを当接し、このネットの外周縁の塗布接着層に沿って加熱押着して一部を開口部とした包装部を得て成ることを特徴とするネット付容袋。
【０００８】
（２）合成樹脂シートは、ポリプロピレンを素材とし、塗布接着層および合成樹脂製ネットは、ポリエチレンで構成して成ることを特徴とする前記（１）記載のネット付容袋。
【発明の効果】
【０００９】
本発明によれば、合成樹脂シートは樹脂製であり、かつネットも合成樹脂製であると共に、塗布接着層も合成樹脂製であるので、シートとの接着は塗布接着層を介して強力かつ簡単に接着できる。そして、開口部より所望の内容物を入れることができ、ネットを介して内容物を確認できると共に、合成樹脂シート上に所望の印刷処理で商品名、出所などを記録でき、量産性に適し、かつ安価に提供できる。
【発明を実施するための最良の形態】
【００１０】
以下に、本発明の一実施例を図面と共に説明する。
【実施例】
【００１１】
図１は、本発明の一実施例を示す一部切欠斜面図、図２は、図１のＡ−Ａ線断面図を示す。
【００１２】
１は、透明ないし不透明な方形の合成樹脂シートであって、ポリプロピレン樹脂製が好ましい。２は、この合成樹脂シート１と同形同大の合成樹脂ネットであって、ポリエチレン製であるのが好ましい。
【００１３】
３は、合成樹脂製の塗布接着層であり、前記合成樹脂シート１の一側辺を除く三方の縁部に所望で塗着形成してあり、これに合成樹脂ネット２の三側辺を当接接合して一側辺を開口部４としてある。熱溶着などの手段で、シート１とネット２とを開口部４を残して三側部の縁部を糊代部５を設けて一体的に形成できる。
【００１４】
ところで、量産形成する際は、例えば幅を同一とした長尺の合成樹脂シートのロールと合成樹脂ネットのロールを設け、合成樹脂シートの順次の送り出し過程で、シートの一側辺を外して三側辺に相当する箇所に、凹状の接着用コテを用いて接着剤層を塗布し、これに送り出されたネットを押圧し、当接接着剤層によりネットとシートとを接着する。そして送り出される過程で、所望の大きさのシート大に切截し、一個づつのネット付容器を製出できる。
【００１５】
内容物は、果実，野菜などを開口部４から投入して収納できる。また合成樹脂シートには好みの印刷を施して内容物に関する情報を表示できる。内容物を透視できるので品質の保証も包装状態で呈示できる。
【００１６】
さらに全体が合成樹脂製であるので、加工，製作しやすく、廉価量産が可能となる。
【図面の簡単な説明】
【００１７】
【図１】本発明の一実施例を示す一部切欠斜面図
【図２】図１のＡ−Ａ線断面図
【符号の説明】
【００１８】
１  透明ないし不透明な方形の合成樹脂シート
２  合成樹脂製ネット
３  合成樹脂製の塗布接着層
４  開口部
５  糊代部
【図１】
2006306410.tif 000003
【図２】
2006306410.tif 000004
(57)【要約】【課題】    爪を傷めずに缶を開けられ、口を付けても衛生的に飲める飲料缶。【解決手段】    缶コーヒーやジュース、ビール等の飲料缶であって、上面が開口し、上端部外面位置に容器ネジ部を有し、下外面位置に複数の突起を有する缶容器と、前記容器ネジ部に着脱可能となるフタネジ部を有するフタとより構成され、前記突起はフタネジ部と着脱可能となる位置、及び形状となったものである事を特徴とする衛生キャップ飲料缶。【選択図】    図１
2006306490.tif 000002
【特許請求の範囲】
【請求項１】
缶コーヒーやジュース、ビール等の飲料缶であって、上面が開口し、上端部外面位置に容器ネジ部を有し、下外面位置に複数の突起を有する缶容器と、前記容器ネジ部に着脱可能となるフタネジ部を有するフタとより構成され、前記突起はフタネジ部と着脱可能となる位置、及び形状となったものである事を特徴とする衛生キャップ飲料缶。
【請求項２】
フタを突起により容器に取り付けた際に、容器底とフタが接触しないための空間部を構成するものである事を特徴とする請求項１記載の衛生キャップ飲料缶。
【請求項３】
缶容器の容器ネジ部の下にリング状のストッパーを備え、フタは前記ストッパーで止まるリング部と、フタとリング部をねじ切る事ができる複数の連結部を備えた事を特徴とする請求項１、又は２記載の衛生キャップ飲料缶。
【発明の詳細な説明】
【技術分野】
【０００１】本発明は、爪を傷めずに缶を開けられ、口を付けても衛生的に飲める飲料缶。
【背景技術】
【０００２】密封容器の上面にプルトップを有する構造となっていた。
【発明の開示】
【発明が解決しようとする課題】
【０００３】  今までの缶は開ける時に爪が痛かった。最近は、つけ爪をしている女性が多く、缶を開ける事が困難である。自動販売機から出てきた缶は、ホコリ・砂などがついてしまい、口を付けて飲む事に抵抗を感じた。今までの缶は中の物が見えず、だまになったミルク、コーンポタージュのコーンなど、飲み込むにも不安があった。
【課題を解決するための手段】
【０００４】  缶コーヒーやジュース、ビール等の飲料缶であって、上面が開口し、上端部外面位置に容器ネジ部を有し、下外面位置に複数の突起を有する缶容器と、前記容器ネジ部に着脱可能となるフタネジ部を有するフタとより構成され、前記突起はフタネジ部と着脱可能となる位置、及び形状となったものである事を特徴とする衛生キャップ飲料缶。
【発明の効果】
【０００５】  爪を傷めず缶を開けられ、口を付けても衛生的に飲み物を飲める。中身が見え、より安心する。その上、口をとがらせる事もなく、上品に飲める。お客様にも出せる。
【発明を実施するための最良の形態】
【０００６】    以下、本発明の実施の形態について説明する。
本発明は図１に示すように、容器（２）とフタ（１）により構成されている。フタ（１）は天板部と側面部からなり、側面部内側にはフタネジ部（５）が設けられている。容器（２）は、アルミやスチールからなり、上面が開口した円筒形状となっている。この際、上部径と下部径はほぼ同じになっている。容器上端部の外部には容器ネジ部（３）が設けられている。この容器ネジ部（３）は、前記フタネジ部（５）が着脱可能に取り付けられるものである。また、容器外部の下部には複数の突起（４）が設けられている。この突起（４）は前記フタ（１）を容器下方から着脱可能に取り付けるためのものであり、フタネジ部（５）にあわせた形状の大きさからなり、フタ（１）をねじる事で着脱可能に取り付けられるように配置されている。本発明は以上の構成よりなる。
これを使用する時は、容器（２）にコーヒー、ジュース、ビール等の任意の飲料をいれた状態で、フタ（１）をする。これら容器（２）及びフタ（１）には商品として販売するための印刷が施され、その状態で流通、販売される。これを購買した消費者は、フタ（１）をあけ、容器開口部に口をあてて飲む事ができる。この際、フタ（１）をまわすだけでフタ（１）が外れるので、プルトップ利用時の指にかかる力が不要となるとともに、爪を傷つける事もない。また、フタ（１）は、突起（４）を利用する事で容器下方から取り付ける事が可能であり、フタ（１）を一体化させる事ができるので、フタ（１）をなくしたり、落として汚す事もない。また、飲料を一度に飲み干せない場合には、再度フタ（１）をして、後で飲む事も可能である。【０００７】  以下、本発明の他の事例について説明する。
さらに容器ネジ部（３）の下にリング状のストッパー（８）が設けられている。又、フタ（１）には複数の連結部（７）を介して、リング部（６）が設けられている。図５に示すように、ストッパー（８）の下にリング部（６）がくるようになっている。また、連結部（７）は空けた時に、ひきちぎられる構造である。これを使用する時には、フタ（１）をまわす事で、フタ（１）がネジにそって、持ち上げられる。リング部（６）は、ストッパー（８）により固定されており、フタ（１）をさらにまわす事で、連結部（７）がひきちぎられる。
【図面の簡単な説明】
【０００８】
【図１】  本発明の分解図
【図２】  本発明の断面図
【図３】  本発明の断面図
【図４】  本発明の分解図
【図５】  本発明の断面図
【記号の説明】
【０００９】  １フタ      ２容器      ３容器ネジ部      ４突起
５フタネジ部    ６リング部    ７連結部    ８ストッパー
【図１】
2006306490.tif 000003
【図２】
2006306490.tif 000004
【図３】
2006306490.tif 000005
【図４】
2006306490.tif 000006
【図５】
2006306490.tif 000007
(57)【要約】      （修正有）【課題】  小さい力で握力の弱い人でも開栓することができこれまでのペットボトルの商品イメージを損なうことのない形となっているペットボトルキャップの提供。【解決手段】  従来のペットボトルのキャップより外周を少し大きくする。外周を少し大きくした分、手のひらの一部と、指のはらで握ったときの摩擦力が最大になる数だけ、これまでの縦の凹凸溝に等間隔に大型の曲線の溝を施して、摩擦力を大きくさせる。【選択図】  図１
2006306491.tif 000002
【特許請求の範囲】
【請求項１】
従来のペットボトルのキャップより外周を少し大きくする。外周を少し大きくした分、手のひらの一部と、指のはらで握ったときの摩擦力が最大になる数だけ、これまでの縦の凹凸溝に等間隔に大型の曲線の溝を施して、摩擦力を大きくさせる。
【発明の詳細な説明】
【技術分野】
【０００１】  ペットボトルのキャップの開栓を容易にするための形状に関するものである。
【背景技術】
【０００２】  現在ペットボトルのキャップは小さな縦の凹凸溝が施されている。【０００３】  実願２００１−３６６２の凸型キャップは、指を当てる二等辺三角形の形状をキャップの円柱形側面に突起として提案されている。
【発明の開示】
【発明が解決しようとする課題】
【０００４】  ペットボトルのキャップの開栓には、手のひらの一部と、指のはらで握って開ける場合が多い。しかし、従来のペットボトルのキャップは、無用な開栓を防ぐための下部のリング部材と接続されている部分や、気密性保持の為にキャップを固く締め付けられているために、キャップに施されているこれまでの縦の凹凸溝だけでは摩擦力が弱く、握力の弱い人にとっては開栓しづらい。【０００５】  また、実願にあるような二等辺三角形の形状をした突起に指を当てて開栓するキャップでは、指に対する力の負担が掛かり過ぎ、指を痛める可能性がある。さらに、キャップの突起が目立ち過ぎて、これまでの商品イメージが損なわれる。
【課題を解決するための手段】
【０００６】  従来のペットボトルのキャップより外周を少し大きくする。外周を少し大きくした分、手のひらの一部と、指のはらで握ったときの摩擦力が最大になる数だけ、これまでの縦の凹凸溝に等間隔に大型の曲線の溝を施して、摩擦力を大きくさせる。
【発明の効果】
【０００７】  従来の縦の凹凸溝キャップは、握力の弱い人にとっては摩擦力が少ないため開栓しづらかった。そこで、従来のペットボトルのキャップより外周を少し大きくすることにより、梃子の原理が作用して小さい力で開栓することができる。
また、外周を少し大きくした分、手のひらの一部と、指のはらで握ったときの摩擦力が最大になる数だけ、これまでの縦の凹凸溝に等間隔に大型の曲線の溝を施すことにより摩擦力が大きくなり、小さい力で握力の弱い人でも開栓することができる。
また、大型の曲線の溝はカーブが緩く、実願にあるような二等辺三角形の形状をした突起より凹凸をあまり感じさせない形状であり、これまでのペットボトルの商品イメージを損なうことのない形となっている。
【発明を実施するための最良の形態】
【０００８】  これまでの商品イメージを損なうことのない形で、摩擦力を増大させ、キャップの開栓を容易にする。
【図面の簡単な説明】
【０００９】
【図１】大型の曲線の溝を８箇所施した場合の立体図である。
【００１０】
【図２】大型の曲線の溝を８箇所施した場合の平面図である。
【００１１】
【図３】大型の曲線の溝を８箇所施した場合の正面図である。
【符号の説明】
１キャップの外周部分
２大型の曲線の溝を施した部分
３下部リング
４下部リングとの接続部分
【図１】
2006306491.tif 000003
【図２】
2006306491.tif 000004
【図３】
2006306491.tif 000005
(57)【要約】【課題】  本発明はＩＤカードケースと透明袋入れの筒とを一体化したＩＤカードケースである。透明袋のみ常時携帯するのは忘れがちになるので身体への携帯を容易にするＩＤカードケースに収納して提供する。【解決手段】仕事場でよく携帯されているＩＤカード。そのＩＤカードケースに透明袋を収納する筒をとりつけます。透明袋が必要なとき筒のキャップをスライドし中の透明袋を取り出せるように設ける。【選択図】        図１
2006306492.tif 000002
【特許請求の範囲】
【請求項１】
ＩＤカードケース本体の上端に筒を取り付け、キャップの付いた筒の中に筒状に巻かれた透明袋を収納したＩＤカードケース。
【請求項２】
ＩＤカードケースに取り外し出来るクリップと首かけ用の紐を通す穴が設けられているＩＤカードケース。
【発明の詳細な説明】
【技術分野】
【０００１】本発明は透明袋をＩＤカードケースに組み込み災害時にすぐに引き出し、顔に被ることを可能にする防災対応ＩＤカードケースに関するものである。
【背景技術】
【０００２】すでに防災用品として透明ビニール袋は販売されており防災時に顔にかぶり煙の中を避難するに有効な手段であることは知られている。
【発明の開示】
【発明が解決しようとする課題】
【０００３】何時必要になるかわからない物は常に携帯するのは辛いもので災害時用の透明袋のみを携帯することは面倒なことです。本発明はこれらの問題点を解決するためになされたものである。
【課題を解決するための手段】
【０００４】上記の目的を達成するため、本発明は仕事場において身分証明カードとして身体に取り付けることが多くなっているＩＤカード、このＩＤカードを入れるケースに透明袋を収納する筒を取り付けます。筒にはキャップが付いておりキャップをはずすとすぐに中の透明袋が取り出せます。
【発明の効果】
【０００５】このような構成にしておくと、突然透明袋が必要になったとき普段身に付けているＩＤカードケースからとりだし防災袋として使用が出来ます。
【発明の実施するための最良の形態】
【０００６】以下、本発明の実施態様を説明する。
（イ）カードケース本体（１）に取り付いた袋収納用筒（４）、透明袋（７）を設ける。
（ロ）袋収納用筒（４）にクリップ（５）を取り付ける。これは脱着式である。
（ハ）クリップ（５）を筒から取り外すと紐通し穴（３）が現れます。この穴に紐を通しＩＤカードケースを身体の首から吊り下げるようにします。
本発明は以上の構成よりなる。本発明を災害時に使用する場合、（２）を摘みスライドさせ外します。それから巻かれている透明袋（７）を引き出します。
【図面の簡単な説明】
【０００７】
【図１】ＩＤカードケースの斜視図
【図２】ＩＤカードケースの正面図
【図３】ＩＤカードケースの裏面図
【図４】ＩＤカードケースの断面図
【図５】ＩＤカードケースの分解斜視図
【図６】ＩＤカードケースに紐を取り付けた状態の斜視図
【符号の説明】
【０００８】１  カードケース本体
２  キャップ
３  紐通し穴
４  袋収納用筒
５  クリップ
６  ＩＤカード押し出し用穴
７  透明袋
８  紐
【図１】
2006306492.tif 000003
【図２】
2006306492.tif 000004
【図３】
2006306492.tif 000005
【図４】
2006306492.tif 000006
【図５】
2006306492.tif 000007
【図６】
2006306492.tif 000008
(57)【要約】【課題】物品の収納等に用いる収納容器及び装置ならびに収納体の構造。【解決手段】  物品の収納等に用いる収納容器及び装置ならびに収納体を円筒形とし、円筒形状容器として開口部に用いる扉、または、蓋を円筒形状に添う半径の曲面円弧状とし、扉開閉時、扉が円筒形状容器外周の内面または外面に添って摺動して開閉する構造とする。【選択図】図１
2006306494.tif 000002
【特許請求の範囲】
【請求項１】
物品の収納等に用いる収納容器及び装置ならびに収納体を円筒形状容器として開口部に用いる扉、または、蓋を円筒形状に添う半径の曲面円弧状とし、扉開閉時、扉を円筒形状容器外周の内面または外面に添って円周方向に摺動させることを特徴とする円周方向開閉容器。
【発明の詳細な説明】
【技術分野】  本発明は、物品の収納等に用いる容器、及び、装置ならびに収納体を円筒形にし円周方向開閉可能な構造の円周方向開閉容器に関する。この際、扉と蓋を総称して扉とする。
【背景技術】
【０００１】  従来、物品の収納容器は角箱形が多くを占め、その扉は、前開きのときには、容器の前面に扉開き場を必要とし、左右引き違いのときには、左右扉交互に開いて左右容器内を調べなければならない不便があり、また、引出し形においても、引出し前面に引き出し場を用意しておかなければならない。
【発明の開示】
【発明が解決しようとする課題】  物品の収納等に用いる容器を円筒形とし、容器と扉の構造を簡単にし、扉の開閉を容易にし容器内全面を調べることを容易にする。
【課題を解決するための手段】
【０００１】  物品の収納等に用いる収納容器及び装置ならびに収納体を円筒形状容器として開口部に用いる扉を円筒形に添う半径の曲面円弧状とし、扉開閉時、扉が円筒形状容器外周の内面または外面に添って摺動して開閉する構造とし、円筒形状容器の開閉を円周方向に開閉可能にし、容器及び扉を簡単にし、扉と容器の組合わせを簡単にし、開扉時、容器内全面を調べることを可能にし、この際、縦型、横型が可能であり、扉は、円筒形状容器の外周円周方向自在に開閉する構造とすることが可能である。【０００２】  また、縦型においては、内部の棚を回転可能にし、下部に回転用台を設けて容器全体を回転させる構造とすることが可能であり、キャスター等を取りつけてワゴン構造とすることも可能である。また、全体透明、または不透明、扉部のみ透明等の構造も可能であり、横型において商品展示に用いる場合、容器上面、または、前面に空間がある場合が多く、それらの方向適当な部分に扉を設けることが可能である。
【発明の効果】
【０００３】  物品収納、扉の開閉を容易に、しかも、容器内調べを容易にする。小型品は、食卓上にて食料、調味料、茶器、食器用等。机状において筆記具用等。中型品は、食器、食料、器具用等、大型品は、商店の商品展示用、特に、冷凍冷蔵食品の展示用については従来上面前面開放され放熱を許すものが多く、これに代わり密閉型として放熱を少にすることが可能である。
【発明実施するための最良の形態】
食堂、レストラン等において、魚肉を冷蔵保存するねたケース用。または、商店における冷蔵飲食品展示保存容器に適する。
【実施例】
【０００４】  図１は縦型円周方向開閉容器を示し、図ａは閉扉時を示し、図ｂは開扉時を示し、６は回転台を示す。図２、図３、図４は横型円周方向開閉容器３例を示し、各図ａは、閉扉時、各図ｂは開扉時を示す。
【産業上の利用可能性】  商店等における商品展示装置、なかでも、冷凍冷蔵食品方展示装置について、従来上面開放形で放熱が大きかった装置を密閉型にして放熱を少にする。
【図面の簡単な説明】
【図１】の（ａ）は縦型円周方向開閉容器の閉扉時、（ｂ）は開扉時を示す図である。
【図２】の（ａ）は横型円周方向開閉容器の閉扉時、（ｂ）は開扉時を示す図である。
【図３】の（ａ）は横型円周方向開閉容器の閉扉時、（ｂ）は開扉時を示す図であ
【図４】の（ａ）は横型円周方向開閉容器の閉扉時、（ｂ）は開扉時を示す図である。
【符号の説明】
１    円周方向開閉容器本体
２    円周方向開閉容器の内部
３    円周方向開閉容器の内部棚
４    円周方向開閉容器の扉
５    扉の取っ手
６    円周方向開閉容器の回転台
７    円周方向開閉容器の内部仕切り板
８    円周方向開閉容器の予備品部、または、冷凍冷蔵用設備部
【図１】
2006306494.tif 000003
【図２】
2006306494.tif 000004
【図３】
2006306494.tif 000005
【図４】
2006306494.tif 000006
(57)【要約】【課題】  屋根部が上下可能で、屋根部が上がった時に大人が立って移動可能にする乗り物の、開口部を覆うシートの収納において、シートが乗り物の外側にも内側にも食み出さないようにすることを課題としている。【解決手段】  シート収納室を設け、このシート収納室と乗り物の内側とを気密性よく仕切る手段を採用した。【選択図】図２
2006306354.tif 000002
【特許請求の範囲】
【請求項１】
屋根部が上下可能で、屋根部が上がった時に開口部をシートで覆う乗り物において、屋根部１と、乗物本体５の上部と、当該乗物本体５の上部から一体的に上側に伸びた上部内壁８とによって、当該上部内壁８の上先端部と当該屋根部１の下側とが気密性よく接した状態で、シート収納室９を形成し、当該シート収納室９の内部にシート３を収納する構成を採用することを特徴とするシート収納方法。
【請求項２】
乗物本体５の上部の端部所定位置に、屋根部１の位置決め、雨水進入防止などを目的とする断面三角形状などのガイド突条６を設けることを特徴とする請求項１記載のシートの収納方法。
【発明の詳細な説明】
【技術分野】
【０００１】  本発明は、屋根部を上下できる自動車などの乗り物において、屋根部を上げた時の開口部を覆うシートの収納方法に関するものである。
【技術背景】
【０００２】  従来、例えば特許文献１には、図１に示すような屋根部１が蝶番２を介して上側に回動し、車の上にテントを張る構造で、屋根部１を下げる際に伸縮性のあるゴムなどのコード４でテントのシート３を車の内側に付勢して折り畳んで収納することによってシート４を車の外側に確実に食み出ないようにした機構が提案されており、また特許文献２には車の屋根部を上下可能とし、屋根部を上げた時に開口部をシートで覆い、車内を大人が立って移動できるようにした構成が提案されているが、特許文献１の構成においては、車の天井の上にテントを張るタイプの二重屋根の構造、すなわち天井の上は車外という技術思想であることからシート収納時にシートを車外側に食み出さないようにするだけで全く問題ないが、特許文献２の構成においては、シート収納時に車内側にもシートが食み出すと、著しく見苦しくなるために、車内及び車外にシートを食み出さないようにする要望があった。
【特許文献１】特開平２００３−３４１３６６号公報
【特許文献２】特開平２００４−３３１０３４号公報
【発明の開示】
【発明が解決しようとする課題】
【０００３】  本発明においては、屋根部が上下可能で、屋根部が上がった時に大人が立って移動可能にする乗り物の、開口部を覆うシートの収納において、シートが乗り物の外側にも内側にも食み出さないようにすることを課題としている。
【課題を解決するための手段】
【０００４】  前記課題を解決するために、シート収納室内にシートを収納し、このシート収納室と乗り物の内側とを気密性よく仕切る手段を採用した。
【発明の効果】
【０００５】  シート収納室を設け、このシート収納室と乗り物の内側とを気密性よく仕切る手段を採用したことによって、屋根部を下げた時にシートが乗り物の外側にも内側にも食みだすことが無くなると同時に、シート収納室が乗り物の外扱いとなることから、シートが雨などで濡れた時に乗り物の室内に湿気、臭気などの侵入を確実に防止できると同時に、屋根部を下げた状態でもシートの乾燥機能を付与することも可能になり、通常走行時において、高級乗用車室内などと同等の室内快適性を維持しやすいなどの多大の効果を奏する。
【発明を実施するための最良の形態】
【０００６】  図２は本発明における屋根部付近の構造の最良の一実施形態を示す部分側断面図であるが、図２において、乗物本体５の上部の端部付近に屋根部１が下がる際の屋根部を位置決めすることを主目的に外側の雨水などの浸入防止も図れる断面三角形状のガイド突条６を設け、その傍で樹脂製のシート３が乗物本体５と屋根部１の所定位置に密着してネジと接着剤などの併用で強固に結合され、乗物本体５の上部に固定され斜め上方に延びている上部内壁８の先端部が、屋根部１に密着固定された弾性断熱体７に気密性よく強く接してシート収納室９を形成する構成となっており、そしてシート収納室９の中心付近にシート３を収納することによって、シート３がシート収納室から外側に確実に食み出さない構成となっている。【０００７】  図２において、弾性断熱体７は、ウレタンなどのゴムの発泡体の表面にプラスチックシートを密着させた成形体などが適性があり、屋根部１に接着剤などで密着固定されるが、乗り物の種類によっては、弾性断熱体を設けなくても差支えなく、この場合には上部内壁８の上先端部にゴムなどの弾性体を嵌め込むなどでパッキン素材を設ける手段を採用するのが望ましく、またシート３は、従来使用されているテント素材などの樹脂製、防水布などの柔軟性、防水性、不透水性、引裂強度、耐久性などの良好なものであれば何でも使用可能であるが、蛇腹状などの形状に永久的に付勢された素材を採用することが収納時に小さく纏まることから望ましく、またガイド突条６は、図に示すように断面三角形状のものが、屋根部の閉まる時のガイドと雨水などの浸入を防止すると同時に、シートの食み出しを防止しやすいために設ける方が望ましいけれども、必ずしも断面三角形状でなくてもよく、場合によっては設けなくてもよい。
【産業上の利用可能性】
【０００８】  本発明の方法によれば、屋根部が上下可能で、屋根部が上がった時に大人が立って移動可能な乗り物において、シート収納室を設け、このシート収納室と乗り物の内側とを気密性よく仕切る手段を採用したことによって、屋根部を下げた時にシートが乗り物の外側にも内側にも食みだすかことが無くなると同時に、シート収納室が乗り物の外扱いとなることから、シートが雨などで濡れた時に乗り物の室内に湿気、臭気などの侵入を確実に防止することによって高級乗用車室内などと同様の環境を維持しやすいことや室内空間が広がることによる著しい快適性の向上などの利点から産業上の利用可能性は絶大である。
【図面の簡単な説明】
【０００９】
【図１】従来法に係る屋根部を上下可能な車のシートの収納構造を示す斜視図である。
【図２】本発明に係るシート収納構造の一実施例を示す側断面図である。
【符号の説明】
【００１０】１    屋根部                                ２    蝶番
３    シート                                ４    コード
５    乗物本体                              ６    ガイド突条
７    弾性断熱体                            ８    上部内壁
９    シート収納室
【図１】
2006306354.tif 000003
【図２】
2006306354.tif 000004
(57)【要約】【課題】  鉄道の高速化，車両の軽量化が進む一方で，鉄道車両の事故が多発する現在，また，地震時に鉄道車両の事故が予想される中で，安全で快適な鉄道が望まれている。  しかし，車輪を締めつけ停車させる現行の方法には限界があり，鉄道の高速化，車両の軽量化に対応した，新たな制御装置の開発が必要である。【解決手段】次のような列車停止及び脱線防止装置を提供する。（１）台車の車輪の前後に，線路と平行でかつ適当な距離を置いた電磁石による制御装置を取りつける。（２）車体の下部の，前後及び中央部に，線路に平行でかつ口字型の電磁石による制御装置を取りつける。（３）これらの磁石に電流を流し，その強弱により形成される磁場を活用し，線路との吸引を図り，主ブレーキに連動して作用する補助ブレーキとして活用する。（４）また，カーブ地点等における脱線防止のため，必要に応じて磁石に電流を流し，その強弱により形成される磁場を活用し，線路との吸引を図り，脱輪を防止する。【選択図】  図１
2006306357.tif 000002
【特許請求の範囲】
【請求項１】
鉄道車両の停止及び脱線防止のため，車両の台車及び車体に電磁石による制御装置を設置したもので（１）台車の車輪の前後に，線路と平行でかつ線路との間に適当な距離を置き，線路の幅と同等以上の幅と適当な長さを有した電磁石による制御装置を取りつける。（２）車体の下部の，前後及び中央部に，線路に平行でかつ線路との間に適当な距離を置き，２本の線路と同等以上の幅と適当な長さを有した，口字型の形状をした電磁石による制御装置を取りつける。を取りつける。（３）これらの磁石に電流を流し，その強弱により発生する磁場を利用して線路との吸引作用を起こさせ，主ブレーキに連動して作用する補助ブレーキとして活用する。（４）また，カーブ地点等における脱線防止のため，必要に応じて磁石に電流を流し，その強弱により発生する磁場を利用して線路との吸引作用を起こさせ，線路からの脱輪を防止する。  以上のような構成からなる，停止及び脱線防止用の電磁石による制御装置を設けた鉄道車両。
【発明の詳細な説明】
【技術分野】
【０００１】  この発明は，従来，車両の車輪を締めつけることにより，停車させていた鉄道車両について，停止及び脱線防止用の電磁石による制御装置を，台車及び車体に設けることにより，主ブレーキと連動させて，より安全な走行を図ろうとするものである。
【背景技術】
【０００２】  従来，鉄道車両は，車輪に設けたブレーキを締めつけることにより，スピードの調整や停止を行ってきた。  ブレーキの性能が向上し，速やかに車輪の回転を停止させることは可能になったものの，惰性による移動は防ぎきれてはいない。  鉄道の高速化，車両の軽量化は，これまでの制御方法だけの使用では，無理が生じており，特に地震発生等の緊急時に，速やかに停止できる制御装置及びカーぶ等での脱線防止装置の開発が必要である。
【発明が解決しようとする課題】
【０００３】（１）時代の要請で鉄道の高速化が進む一方，緊急時等に，速やかに停車させる技術は進んでおらず，車輪に設けたブレーキを締めつける方法しか採られておらず，新たな制御方法の開発が望まれている。（２）車両の軽量化は，高速化及び電力の節約には貢献するものの，車両の緊急停止面や脱線防止面で新たな問題も提起されている。（３）列車編成が長くなる傾向の中で，中間車両の浮き上がり現象による脱線が危惧されており，特に貨物列車におけるせりあがり対策が是非とも必要である。
【課題を解決するための手段】
【０００４】（１）鉄道車両の停止及び脱線防止のため，全車両の全台車の車輪の前後に，線路に平行でかつ適当な距離を置いた，線路の幅と同等以上の幅と適当な長さを有した電磁石による制御装置を取りつける。（２）鉄道車両の緊急停止及び脱線防止のため，全車両の車体の下部の，前後及び中央部に，線路に平行でかつ線路との間に適当な距離を置き，２本の線路と同等以上の幅と適当な長さを有した，口字型の形状をした電磁石による制御装置を取りつける。（３）これらの電磁石に電流を流し，その強弱により発生する磁場を利用して線路との吸引作用を起こさせ，主ブレーキに連動して作用する補助ブレーキとして活用する。（４）また，カーブ地点等における脱線防止のため，必要に応じて電磁石に電流を流し，その強弱により発生する磁場を利用して線路との吸引作用を起こさせ，線路からの脱輪を防止する。（５）貨物列車のように編成が長く，かつ積載量の異なる車両列において，全車両に電磁石による緊急停止及び脱線防止装置を取りつけ，せりあがり現象を防止する。
【発明を実施するための最良の形態】
【０００５】  以下，発明を実施するための最良の形態について説明する（１）鉄道車両を停止させる際，主ブレーキに連動して，各車両に設置した電磁石に電流を流れるようにし，発生する磁場を利用して，線路との間に働く吸引作用により，主ブレーキを補佐する補助ブレーキとして活用する。（２）鉄道車両を緊急に停止させる際には，各車両に設置した電磁石に強力な電流を流すことにより，より強い磁場が発生し，強力な吸引作用が働く。（３）個々の車両に設置する電磁石による制御装置の能力が比較的弱いものであっても，全ての車両の制御装置が同一の作用をすることにより，全体としては，強力な制御力となる。（３）カーブ地点や斜面の走行時においては，脱線防止のため，必要に応じて電磁石に電流を流し，車輪の線路との吸引を図る。
【発明の効果】
【０００６】  鉄道の高速化，車両の軽量化が進む一方で，鉄道車両の事故が多発する現在，また，地震時に鉄道車両の事故が予想される中で，車輪を締めつけ停車させる方法には限界がある。  安全で快適な鉄道とするため，電磁石による制御装置を補助ブレーキとして活用することにより，従来の方法を補佐するとともに，より制御力のある鉄道車両となることが期待される。  さらなる方法としては，風力を活用して，制御装置として併用することも必要である。  すなわち，これまで高速化のため流線型車両により，風の抵抗を少なくする方法が採られてきたが，緊急時においては，逆に風の抵抗を大きくし，車両のスピードの低下を図ることが必要である。  このため，緊急時には，以上のような制御装置に連動して，例えば，各車両に風を受けるための衝立がせりあがるような仕掛けを設けることも考えられる。
【図面の簡単な説明】
【０００７】
【図１】正面図
【図２】平面図
【符号の説明】
【０００８】１  鉄道車両の車体            ５  鉄道車両の車体２  鉄道車両の台車            ６  線路３  車体に直結した電磁石４  台車に直結した電磁石
【図１】
2006306357.tif 000003
【図２】
2006306357.tif 000004